(57)【要約】【課題】釣人が杓を用いて多量の撒き餌を確実かつ迅速に所望のポイントへ投入することができる釣用バケツを提供する。【解決手段】釣り用バケツ１は、主として、撒き餌を収容するために用いられるものであり、バケツ本体１０と上蓋１１とを備える。バケツ本体１０は、底面部１４および開口１７を備え、容器状に形成されている。このバケツ本体１０の上面、すなわち、開口１７の周縁は、上記底面部１４に対して傾斜されている。バケツ本体１０の側壁２１から側壁２０に向けて下り勾配となるように傾斜されている。この構成によれば、釣人は、傾斜によって最も低くなった上端部１６から撒餌用杓６０を容易に外へ出すことができる。【選択図】図１
2008011796.tif 000002
【特許請求の範囲】
【請求項１】
撒き餌を収容することができる釣用バケツであって、
底面および開放された上面を有する容器状に形成されたバケツ本体を備え、
当該バケツ本体の上面の少なくとも一部は、上記底面に対して傾斜されている釣用バケツ。
【請求項２】
上記バケツ本体の上面の少なくとも一部は、当該バケツ本体の後方から前方へ下り勾配となるように傾斜されている請求項１に記載の釣用バケツ。
【請求項３】
撒餌用杓により撒かれる撒き餌が収容される釣用バケツであって、
底部および当該底部の周縁部に立設された壁部を有し、上面が開放された容器状のバケツ本体を備え、
上記壁部は、当該壁部の上縁から上記底部に向かって切り欠かれることにより形成され、上記撒餌用杓が当該壁部を通過して上記バケツ本体に出入りすることを許容する杓出入用切欠部を備えている釣用バケツ。
【請求項４】
上記底部は、前縁、一対の側縁および後縁を有する矩形平板状に形成され、
上記壁部は、上記底部の前縁、一対の側縁および後縁にそれぞれ設けられた前壁、一対の側壁および後壁を備えており、
上記杓出入用切欠部は、
上記前壁に設けられており、当該前壁の上縁から上記底部に向かって延びる一対の対向縁と、当該各対向縁の上記底部側の端部同士を連続するように延びる下縁とによって構成されている請求項３に記載の釣用バケツ。
【請求項５】
上記杓出入用切欠部および上記上面を覆う閉塞姿勢と上記杓出入用切欠部および上記上面を開放する開放姿勢との間で姿勢変化し得るシート状の蓋部材が、上記バケツ本体に取り付けられている請求項３または４に記載の釣用バケツ。
【請求項６】
上記蓋部材の一端縁部が上記杓出入用切欠部の下縁に沿ってヒンジ結合されており、
上記蓋部材の一端縁部以外の他の縁部は、スライドファスナーを介して上記杓出入用切欠部の一対の対向縁および上記上面の縁部に連結されている請求項５に記載の釣用バケツ。
【請求項７】
上記一対の側壁の上端部および上記後壁の上端部に沿ってＵ字状の補強フレームが配置されており、
上記蓋部材は、当該蓋部材が閉塞姿勢となったときに上記補強フレームの両端部間に配置され、当該両端部同士が接近することを防止する支持バーを備えている請求項５または６に記載の釣用バケツ。
【請求項８】
上記補強フレームの両端部は、上記支持バーが安定的に当接し得る座を備えている請求項７に記載の釣用バケツ。
【請求項９】
上記補強フレームは、断面が円形である線材からなり、
上記座は、上記線材の端部が上記一対の側壁に沿って環状に湾曲されることにより形成されている請求項８に記載の釣用バケツ。
【発明の詳細な説明】
【技術分野】
【０００１】
本発明は、釣り餌その他の釣道具を収容することができる釣用バケツの構造に関する。
【背景技術】
【０００２】
魚釣りでは、「ウキ釣り」と称されるジャンルがある。ウキ釣りでは、釣人は、釣針に釣り餌を取り付けると共に、釣り餌を所望のポイントに撒く。通常、釣り餌は、容器状のバケツ（「バッカン」と称されることがある）に大量にストックされ（たとえば、特許文献１〜４参照）、釣人は、杓を使って釣り餌を少量ずつ掬って撒く。このように水中に撒かれる釣り餌は、ターゲットとなる魚を寄せ集めるためのものであって、特に「撒き餌」と称される。また、上記釣針に取り付けられた釣り餌は、魚のバイトを誘うためのものであって、特に「刺し餌」と称される。水面に撒かれた撒き餌はゆっくりと沈降し、ターゲットとなる魚は、この沈降する撒き餌を所定の捕食位置で捕食する。この捕食位置は、ターゲットなる魚の種類や水流、波、水温、気圧その他の釣場を取り巻く自然環境によって刻々と変化するものである。この水中における捕食位置は、「タナ」と称され、釣人は、釣用仕掛にウキを装着することによって水面から釣針までの距離を上記「タナ」に合わせる。このように、釣人は、撒き餌を利用して刺し餌の位置を「タナ」に合わせることによって、ターゲットとなる魚の刺し餌へのバイトを促す。
【０００３】
したがって、特に磯におけるウキ釣りでは、撒き餌は欠かせないものであって、釣人は、そのポイントにおける状況（水流の向きや強さ、波および風の方向、水面から海底までの距離など）に応じて撒き餌を撒くタイミング、投入位置、その量などを調整する。撒き餌のタイミング、投入位置、量は、一般化して論じられるものではなく、釣人が実釣において実際に魚のバイトを誘うことを目的としてタイムリーに判断すべきものである。
【０００４】
【特許文献１】特開２００１−１９０１９８号公報
【特許文献２】特開２０００−２３６７９０号公報
【特許文献３】特開２０００−１８９０２８号公報
【特許文献４】特開２０００−４１号公報
【発明の開示】
【発明が解決しようとする課題】
【０００５】
実釣においては、潮流が非常に速い場合も想定される。そのような場合には、釣人は、海中の所望のポイント（上記「タナ」の水深）に撒き餌を分散させるために、多量の撒き餌を撒かなければならないことがある。釣人は、多量の撒き餌を撒くために、杓を何度も操作して撒き餌を海中に投入する。
【０００６】
ところで、従来の釣用バケツは、一般に上面が開放された直方体容器状に形成されている。したがって、釣人が撒き餌を海中に投入するためには、釣人は、杓を操作して杓のカップに撒き餌を掬い入れ、そして、上記カップを持ち上げて釣用バケツの上面から当該カップを外へ出し、それから、杓を振って撒き餌を投入するという、３段階の動作を行う必要がある。しかしながら、撒き餌を多量に、しかも迅速に撒くために、上記各動作を高速に繰り返し行うと、杓が釣用バケツの側壁に衝突することがある。そのような場合、釣人は、結果的に必要な量の撒き餌を所望のポイントに投入できないばかりか、撒き餌が釣場に散らばってしまうおそれもある。
【０００７】
そこで、本発明の目的は、釣人が杓を用いて多量の撒き餌を確実かつ迅速に所望のポイントへ投入することができる釣用バケツを提供することである。
【課題を解決するための手段】
【０００８】
(1) 上記目的が達成されるため、本発明に係る釣用バケツは、撒き餌を収容することができる釣用バケツであって、底面および開放された上面を有する容器状に形成されたバケツ本体を備える。当該バケツ本体の上面の少なくとも一部は、上記底面に対して傾斜されている。
【０００９】
たとえば磯におけるウキ釣りでは、釣人は、釣用バケツに撒き餌を収容し、これを釣場に持ち込む。釣人は、撒き餌が収容されたバケツ本体を磯の所望の位置に載置する。釣人は、通常、撒餌用杓を用いてバケツ本体内の撒き餌を所望のポイントへ投入する。撒餌用杓は、一般に柄部および柄部の先端に設けられたカップとを有する。釣人は、柄部を操作してバケツ本体の上面から上記カップを当該バケツ本体内に進入させることにより当該カップに撒き餌を掬い入れる。さらに釣人は、柄部を操作することによってカップ内の撒き餌を所望のポイントへ投げ入れる。このとき、釣人は、いわゆるアンダースローにて撒き餌を投げる場合があるし、特に撒き餌を遠投したい場合には、いわゆるオーバースローにて撒き餌を投げることもある。いずれにしても、釣人は、柄部を操作することによってカップを一旦持ち上げて、バケツ本体の上面を通じてカップをバケツ本体から外へ出す必要がある。
【００１０】
本発明では、上記バケツ本体の上面の少なくとも一部が前述のように傾斜していることから、釣人は、撒餌用杓の柄部を操作することによって、上記傾斜によりバケツ本体の底面から最も低くなった部分から上記カップを簡単にバケツ本体の外へ出すことができる。仮にバケツ本体の上面が前述のように傾斜していないとすれば、釣人が柄部を操作してカップを一旦持ち上げてバケツ本体から外に出し、それからカップ内の撒き餌を投げようとすると、当該カップが上記上面の周縁部に衝突し、当該カップ内の撒き餌が釣場に飛び散ってしまうおそれがある。もっとも、釣人は、カップとバケツ本体との衝突を避けるように注意深く柄部を操作すればよいが、釣場の状況によっては、柄部を高速で激しく操作することによって多量の撒き餌を撒く必要に迫られる場合もあり、そのような場合には、カップとバケツ本体との衝突が頻繁に起こり得る。ところが、本発明では、バケツ本体の上面が傾斜しているため、バケツ本体の底面を基準とする上面の高さが低くなる部分が形成される。したがって、釣人は、その低くなった上面からカップを外へ出すようにすれば、バケツ本体との衝突を避けるために撒餌用杓を高く持ち上げる必要はなくなる。その結果、たとえ釣人が激しく柄部を操作した場合であっても、カップがバケツ本体に衝突することが防止される。
【００１１】
(2) 上記バケツ本体の上面の少なくとも一部は、当該バケツ本体の後方から前方へ下り勾配となるように傾斜されているのが好ましい。
【００１２】
釣場では、上記構成の釣用バケツは、下り勾配に傾斜された上面のうち、バケツ本体の底面から最も低く設定された部分が釣人の所望するポイントと対向するように配置される。換言すれば、釣人の所望するポイントを基準にして、バケツ本体の底面から最も低く設定された部分が前方となるように、釣用バケツが配置される。本発明の釣用バケツを用いれば、釣人は、特にアンダースローにて撒き餌を投げる場合に、撒餌用杓の柄部を操作することによってカップに撒き餌を掬い入れた後に、その掬い入れ動作に連続して、上記傾斜によりバケツ本体の底面から最も低くなった前方側へ向けて撒餌用杓を振り抜くことができる。これにより、前方側の上面の上方を通過させるようにして上記カップをバケツ本体から簡単に外へ出すことができ、しかも、カップを外へ出す動作に連続して撒き餌を所望するポイントへ投入することができる。要するに、撒き餌を掬い入れる動作、カップをバケツ本体から出す動作、及び撒き餌を投げ入れる動作を連続する一連の杓操作により行うことができる。これにより、カップとバケツ本体との衝突を確実に避けることができ、その結果、迅速に多量の撒き餌を投げ入れることができる。
【００１３】
(3) また、上記目的が達成されるため、本発明に係る釣用バケツは、撒餌用杓により撒かれる撒き餌が収容される釣用バケツであって、底部および当該底部の周縁部に立設された壁部を有し、上面が開放された容器状のバケツ本体を備える。上記壁部は、杓出入用切欠部を備えている。この杓出入用切欠部は、上記壁部の上縁から上記底部に向かって切り欠かれることにより形成され、上記撒餌用杓が当該壁部を通過して上記バケツ本体に出入りすることを許容する。
【００１４】
たとえば磯におけるウキ釣りでは、釣人は、釣用バケツに撒き餌を収容し、これを釣場に持ち込む。釣人は、撒き餌が収容されたバケツ本体を磯の所望の位置に載置する。釣人は、通常、撒餌用杓を用いてバケツ本体内の撒き餌を所望のポイントへ投入する。撒餌用杓は、一般に柄部および柄部の先端に設けられたカップとを有する。釣人は、柄部を操作してバケツ本体の上面から上記カップを当該バケツ本体内に進入させることにより当該カップに撒き餌を掬い入れる。さらに釣人は、柄部を操作することによってカップ内の撒き餌を所望のポイントへ投げ入れる。このとき、釣人は、いわゆるアンダースローにて撒き餌を投げる場合があるし、特に撒き餌を遠投したい場合には、いわゆるオーバースローにて撒き餌を投げることもある。いずれにしても、釣人は、柄部を操作することによってカップを一旦持ち上げて、バケツ本体の上面を通じてカップをバケツ本体から外へ出す必要がある。
【００１５】
本発明では、上記バケツ本体の壁部に杓出入用切欠部が設けられているから、釣人は、柄部を操作することによって、当該杓出入用切欠部を通じて簡単にカップをバケツ本体から外へ出すことができる。仮にこの杓出入用切欠部が設けられていないとすれば、釣人が柄部を操作してカップを一旦持ち上げてバケツ本体から外に出し、それからカップ内の撒き餌を投げようとすると、当該カップが上記上面の周縁部に衝突し、当該カップ内の撒き餌が釣場に飛び散ってしまうおそれがある。もっとも、釣人は、カップとバケツ本体との衝突を避けるように注意深く柄部を操作すればよいが、釣場の状況によっては、柄部を高速で激しく操作することによって多量の撒き餌を撒く必要に迫られる場合もあり、そのような場合には、カップとバケツ本体との衝突が頻繁に起こり得る。ところが、本発明では、上記杓出入用切欠部が設けられているため、釣人は、カップとバケツ本体との衝突を避けるために撒餌用杓を高く持ち上げる必要はなく、たとえ釣人が激しく柄部を操作した場合であっても、カップが杓出入用切欠部を通じて外へ出されるため、当該カップがバケツ本体に衝突することが防止される。
【００１６】
また、本発明の釣用バケツの壁部のうち、杓出入用切欠部が形成された側を所望するポイントに対向するようにして当該釣用バケツを釣場に載置すれば、釣人は、特にアンダースローにて撒き餌を投げる場合に、撒餌用杓の柄部を操作することによってカップに撒き餌を掬い入れた後に、その掬い入れ動作に連続して、上記杓出入用切欠部へ向けて杓を振り抜くことができる。これにより、上記杓出入用切欠部を通過させるようにして上記カップをバケツ本体から簡単に外へ出すことができ、しかも、カップを外へ出す動作に連続して撒き餌を所望するポイントへ投入することができる。要するに、撒き餌を掬い入れる動作、カップをバケツ本体から出す動作、及び撒き餌を投げ入れる動作を連続する一連の杓操作により行うことができる。これにより、カップとバケツ本体との衝突を確実に避けることができ、その結果、迅速に多量の撒き餌を投げ入れることができる。
【００１７】
(4) 上記底部は、前縁、一対の側縁および後縁を有する矩形平板状に形成され、上記壁部は、上記底部の前縁、一対の側縁および後縁にそれぞれ設けられた前壁、一対の側壁および後壁を備えていてもよい。そして、上記杓出入用切欠部は、上記前壁に設けられており、当該前壁の上縁から上記底部に向かって延びる一対の対向縁と、当該各対向縁の上記底部側の端部同士を連続するように延びる下縁とによって構成され得る。
【００１８】
この構成では、バケツ本体は上面が開放された直方体の容器状に形成される。また、杓出入用切欠部は、バケツ本体の前壁の中央部が切り欠かれることによって構成される。すなわち、バケツ本体は直方体状に形成され、しかも、バケツ本体に外力が付加された際に大きなねじり応力や曲げ応力が発生する角部は切りかかれていない。したがって、上記杓出入用切欠部が設けられたとしても、バケツ本体の剛性は高く維持され得る。
【００１９】
(5) 上記杓出入用切欠部および上記上面を覆う閉塞姿勢と上記杓出入用切欠部および上記上面を開放する開放姿勢との間で姿勢変化し得るシート状の蓋部材が、上記バケツ本体に取り付けられているのが好ましい。
【００２０】
この蓋部材が設けられることにより、釣人は、任意にバケツ本体の上面および上記出入用切欠部を開閉することができる。これにより、バケツ本体に収容された撒き餌の量に応じて上記出入用切欠部を開閉することができる。したがって、例えば、バケツ本体の上縁まで撒き餌が収容されている場合は、上記出入用切欠部全体を蓋部材で覆うことができる。また、撒き餌が徐々に減少して撒き餌の上面が低下した場合は、出入用切欠部のうち、バケツ本体の上縁から撒き餌の上面までの部分だけを開放することができる。要するに、撒き餌の量に応じて上記出入用切欠部の開放率（開口率）を任意に設定することができる。
【００２１】
また、実釣中に雨が降った場合や日差しが強くなった場合には、出入用切欠部のみならずバケツ本体の上面全体を蓋部材で閉めて、撒き餌の劣化を防止することができる。さらに、多量の撒き餌を投じる必要がない状況においては、蓋部材によって上記杓出入用切欠部のみを閉塞することも可能である。
【００２２】
(6) 上記蓋部材の一端縁部は、上記杓出入用切欠部の下縁に沿ってヒンジ結合されていてもよい。そして、この蓋部材の一端縁部以外の他の縁部は、スライドファスナーを介して上記杓出入用切欠部の一対の対向縁および上記上面の縁部に連結されているのが好ましい。
【００２３】
この構成では、釣人は、スライドファスナーを操作することによって、蓋部材の開閉を自在に調整することができる。
【００２４】
(7) 上記一対の側壁の上端部および上記後壁の上端部に沿ってＵ字状の補強フレームが配置されると共に、上記蓋部材は、当該蓋部材が閉塞姿勢となったときに上記補強フレームの両端部間に配置され、当該両端部同士が接近することを防止する支持バーを備えていてもよい。
【００２５】
上記補強フレームが設けられることにより、バケツ本体の剛性がさらに向上するので、釣用バケツの使い勝手が一層良くなる。ただし、この補強フレームはＵ字状に形成されているから、バケツ本体に外力が付加された場合に補強フレームの先端部側が変形しやすい傾向にある。しかし、蓋部材が閉塞姿勢となったとき（典型的には、釣人が実釣中に釣場を移動するために、釣用バケツを持ち上げるような場合に蓋部材は閉塞姿勢にされる）には、支持バーが補強フレームの両端部間に配置されることにより、補強フレームの変形が抑えられる。したがって、釣用バケツが持ち上げられてもバケツ本体が大きく変形せず、釣用バケツが持ち運びに便利なものとなる。
【００２６】
(8) 上記補強フレームの両端部は、上記支持バーが安定的に当接し得る座を備えているのが好ましい。
【００２７】
この座が設けられることにより、支持バーが安定して補強フレームの両端部間に配置される。したがって、釣人が釣用バケツを持ち歩いたとしても、支持バーが補強フレームからずれてバケツ本体が大きく変形してしまうことはない。つまり、釣用バケツが持ち運びに一層便利なものとなる。
【００２８】
(9) 上記補強フレームは、断面が円形である線材から構成されているのが好ましい。また、上記座は、上記線材の端部が上記一対の側壁に沿って環状に湾曲されることにより形成されているのが好ましい。
【００２９】
補強フレームは上記線材が曲げ加工されることによって構成され得るから、補強フレームが安価に製造される。また、線材が環状に湾曲されることにより、上記座は、中央に孔が設けられたドーナツ状に形成される。しかも、線材の断面が円形であるから、上記孔を区画する面は、当該孔の周囲から内側へ滑らかに入り込む曲面となる。したがって、上記蓋部材が閉じられることによって上記支持バーと上記座とが相対的に接近した場合は、支持バーが上記曲面に沿って座の内側に案内される。その結果、支持バーは、一層安定して補強フレームの両端部間に配置される。
【発明の効果】
【００３０】
本発明によれば、釣人が撒餌用杓を高速で操作した場合であっても、当該撒餌用杓が釣用バケツに衝突することが防止されるので、釣人は、撒餌用杓を用いて多量の撒き餌を所望のポイントに投入することができる。その結果、釣人は、釣場の状況に応じて撒き餌の量およびタイミングを適切に調整することができる。
【発明を実施するための最良の形態】
【００３１】
以下、適宜図面が参照されつつ、好ましい実施形態に基づいて本発明が詳細に説明される。
【００３２】
《第１の実施形態》
図１及び図２は、本発明の第１の実施形態に係る釣用バケツ１の斜視図であって、図１は、開口１７が上蓋１１で閉塞された状態を示し、図２は、開口１７が開放された状態を示す。また、図３は、図１におけるIII−矢視図である。なお、図２では、説明の便宜上、上蓋１１は省略されている。当該釣用バケツ１は、例えば、釣り道具を収容するための容器、或いは釣れた魚を生かしておくための生け簀として用いることが可能であるが、主として、魚釣りの際に用いられる撒き餌と称される釣り餌を収容するための容器として使用される。以下、本発明の第１の実施形態に係る釣用バケツ１の構成について詳述される。
【００３３】
釣用バケツ１は、図１から図３が示すように、バケツ本体１０と、該バケツ本体１０の上面に設けられた上蓋１１とを備えている。
【００３４】
バケツ本体１０は、その上面に開口１７（図２参照）を有する容器状に形成されている。このバケツ本体１０に、撒き餌などの釣り餌が収容される。一般に、撒き餌としては、生或いはボイルされたオキアミ、生のアミエビなどが多用される。そのため、バケツ本体１０は、オキアミやアミエビから滲み出る水分が外部へ漏出しないように、防水構造を備えている。バケツ本体１０のサイズは、冷凍されたオキアミやアミエビなどのブロック体を破壊することなくそのまま収容し得るサイズに設定されており、例えば、長手方向の長さが３０ｃｍから５０ｃｍ程度のものとされている。なお、言うまでもなく、本釣用バケツ１は、上記サイズに限定されることはなく、多様なサイズを採用することが可能である。
【００３５】
バケツ本体１０は、略矩形の平板状の底面部１４と、この底面部１４の周縁に立設された側壁部１５とを備えている。側壁部１５は、シート状の合成樹脂が筒状に形成された筒状シートからなる。この側壁部１５の下端が上記底面部１４の周縁（長辺縁２２及び短辺縁２３）に溶着されることによってバケツ本体１０が形成され、さらに、側壁部１５の上端部１６（図２参照）によって開口１７が形成される。底面部１４及び側壁部１５は、シート状の合成樹脂から構成されている。合成樹脂としては、例えば、エチレン酢酸ビニル共重合体（ＥＶＡ）が好適に採用される。底面部１４の肉厚寸法は、０．７５ｍｍ〜２．０ｍｍ程度に設定され、側壁部１５の肉厚寸法も、０．７５ｍｍ〜２．０ｍｍ程度に設定され得る。
【００３６】
側壁部１５の上端部１６（図２参照）は、上記筒状シートの上端がバケツ本体１０の外側に折り返され、さらに所定位置において当該筒状シートの外側の面に溶着されることによって形成されている。ここで、上記筒状シートの上端は、バケツ本体１０の周囲全体にわたって連続して溶着されていてもよいし、間欠的に溶着されていてもよい。また、この第１の実施形態では、上記側壁部１５の上端部１６は、図示しない環状フレームに巻き掛けられている。この環状フレームは、上記開口１７の周縁部に沿って配設されている。上記環状フレームは、例えばステンレススチールから構成され得る。この環状フレームが設けられることにより、バケツ本体１０の開口１７の周縁部の剛性が向上し、その結果、釣用バケツ１が釣り餌の容器として一層使い易いものとなる。
【００３７】
図２が示すように、側壁部１５は、４つの側壁１８〜２１を有する。側壁１８，１９は、略矩形状に形成された底面部１４の一対の長辺縁２２それぞれに垂直方向に立設されている。また、側壁２０，２１は、底面部１４の一対の短辺縁２３それぞれに垂直方向に立設されている。側壁部１５の上端部１６のうち、側壁１８，１９それぞれの上端１６Ａ，１６Ｂは、底面部１４に対して同一方向に下り勾配となるように傾斜されている。具体的には、上端１６Ａ，１６Ｂは、図２における紙面奥側（本発明の後方に相当）から手前側（本発明の後方に相当）へ向かう方向に下り勾配となるように傾斜されている。上端１６Ａ，１６Ｂそれぞれの傾斜下方側の端部は、側壁１８，１９に隣接する紙面手前側の側壁２０の上端１６Ｃに連続している。また、上端１６Ａ，１６Ｂそれぞれの傾斜上方側の端部は、側壁１８，１９に隣接する紙面奥側の側壁２１の上端１６Ｄに連続している。このように各側壁１８〜２１が形成されることで、バケツ本体１０の開口１７が矩形に形成されるとともに、バケツ本体１０の上端部１６が、側壁２１側から側壁２０側へ向かって下り勾配に傾斜された形状に形成される（図３参照）。かかる作用効果については後述される。
【００３８】
なお、バケツ本体１０の上端部１６の傾斜度、すなわち、底面部１４に対する上端１６Ａ，１６Ｂ傾斜角φ（図３参照）は、バケツ本体１０のサイズや容積、素材などの各要因如何によって任意に設定することができるが、長径が３０ｃｍから５０ｃｍ程度に設定された上記バケツ本体１０においては、十分な剛性を確保するべく、上記傾斜角φは、概ね、５°（degree）から３０°の範囲内で設定され得る。
【００３９】
図１から図３が示すように、バケツ本体１０は一対の把手２５，２６を備えている。把手２５，２６は、バケツ本体１０の両側壁１８，１９に設けられている。把手２５，２６は、取付ステー１２を介してバケツ本体１０の両側壁１８，１９に取り付けられている。これら把手２５，２６は、バケツ本体１０と同じ素材のエチレン酢酸ビニル共重合体（ＥＶＡ）、或いはポリエチレン等の合成樹脂により形成することができる。
【００４０】
図４は、取付ステー１２の拡大斜視図である。取付ステー１２は、同図が示すように、バケツ本体１０の側壁１８，１９（図２参照）に固定されるベース部３０と、このベース部３０の中央部に形成されたブリッジ部３１と、このブリッジ部３１の両側方にそれぞれ形成された軸受部３２とを備えている。取付ステー１２は合成樹脂からなり、例えば射出成形されることによって上記ベース部３０、ブリッジ部３１及び軸受部３２が一体に形成される。上記合成樹脂としては、例えば、バケツ本体１０と同じ素材、具体的には、エチレン酢酸ビニル共重合体（ＥＶＡ）が好適に採用される。なお、本第１の実施形態では、取付ステー１２が射出成形などにより一体に形成されることととしたが、もちろん、上記ベース部３０、ブリッジ部３１及び軸受部３２が別々に形成されて、それぞれが組み付けられることで取付ステー１２が構成されてもよい。
【００４１】
上記ベース部３０は、横長矩形の平板状に形成されている。このベース部３０は、側壁１８，１９（図２参照）に溶着などによって取り付けられる。ブリッジ部３１は、扁平したＵ字状に形成されており、ベース部３０から外方向、つまり、側壁１８，１９に垂直な方向に突出している。このため、ブリッジ部３１とベース部３０との間に一定高さの空間が形成される。釣人は、このブリッジ部３１に、タオルやコマセカッター、サシエケース、柄杓ホルダ等を引っ掛けて、これら各道具を便利良く使用する。軸受部３２は、上記ブリッジ部３１の両側方にそれぞれ設けられている。この軸受部３２は、ベース部３０から外方向、つまり、側壁１８，１９に垂直な方向に突出している。軸受部３２には、ベース部３０の長手方向に沿って円筒状の軸孔３４が形成されている。軸受部３２は、後述される把手２５の軸４６（図５参照）を回動自在に支持する。
【００４２】
ベース部３０における軸受部３２の下方には、当該軸受部３２に連続するようにして切欠３３が形成されている。この切欠３３が設けられることにより、軸受部３２の下側部分がベース部３０から離れるように変形され得る。軸受部３２の下側部分がベース部３０から離れるように変形された状態で、軸受部３２の下側に隙間が形成される。この隙間から上方へ向けて把手２５の軸４６（図５参照）が挿入されることで、軸受部３２が外方へ広げられつつ、軸４６が軸孔３４へ案内される。これにより、軸４６が軸孔３４に嵌め込まれる。このようにして把手２５の軸４６が軸受部３２に嵌め込まれた後に、軸受部３２がバケツ本体１０に溶着されると、把手２５は、取付ステー１２に対して回動自在な状態で取り付けられる。
【００４３】
図５は、把手２５の斜視図である。同図では、バケツ本体１０の一方の側壁１８に取り付けられる把手２５が図示されているが、他方の側壁１９に取り付けられる把手２６も略同様の形状である。そのため、把手２６についての詳細な説明は省略される。
【００４４】
図５が示すように、把手２５は、全体として略Ｕ字形状を呈している。この把手２５は、略Ｕ字状に湾曲された湾曲部４０と、該湾曲部４０の両端からそれぞれ平行に延出されたアーム部４１とを備えて構成されている。把手２５は、上記取付ステー１２と同様に合成樹脂からなり、例えば射出成形されることによって形成される。なお、合成樹脂としては、例えば、エチレン酢酸ビニル共重合体（ＥＶＡ）が好適に採用される。
【００４５】
湾曲部４０には、略丸棒状の把持部４３が設けられている。釣人は、この把持部４３を把持して釣用バケツ１を持ち運ぶことができる。アーム部４１の端部４２は、平板状に形成されている。各端部４２それぞれの先端に、丸棒状の軸４６が形成されている。
【００４６】
各端部４２の先端は、それぞれ、フォーク状に形成されている。各軸４６は、各端部４２の先端同士を連結して上記把持部４３と略平行な方向に延びている。換言すれば、各端部４２の先端は、それぞれ、肉抜きされた空間４４を有し、各軸４６は、この空間４４に架け渡すように配置されている。この空間４４が形成されることにより、各軸４６が上記軸受部３２に容易に嵌め込まれる。また、各端部４２は、該端部４２の所定部位４５において屈曲されている。このように各端部４２が屈曲されていることにより、図１が示すように、把手２５が上方へ回動起立された状態で上記把持部４３が釣用バケツ１の上方中央に配置されることになる。なお、上記所定部位４５は、把手２５が上方へ回動起立されたときに側壁部１５の上端部１６（図２参照）、即ち、開口１７（図２参照）の周縁部に当接する位置に概ね設定されている。
【００４７】
図１が示すように、上蓋１１は、バケツ本体１０の上面に形成された開口１７（図２参照）を覆うようにして取り付けられている。そのため、上蓋１１は、上記開口１７に相応した形状に形成されており、具体的には、略矩形に形成されている。上蓋１１は、上記開口１７を開閉するものであり、該開口１７を開放する状態（開放姿勢）と該開口１７を閉塞する状態（閉塞姿勢）とに姿勢変化される。上蓋１１は、上記バケツ本体１０と同様に、シート状の合成樹脂から構成されており、適度な可撓性と弾性を有する。合成樹脂としては、例えば、エチレン酢酸ビニル共重合体（ＥＶＡ）が好適に採用される。
【００４８】
上蓋１１は、側壁部１５の上端部１６のうち、側壁２１の上端１６Ｄに沿ってヒンジ結合されている。具体的には、合成樹脂などの幅広のシート片（不図示）の上端側が上蓋１１の端部に縫い付けられており、該シート片の下端側が側壁２１の上端１６Ｄに縫い付けられることで、上蓋１１とバケツ本体１０とが結合される。このように、上蓋１１とバケツ本体１０とがヒンジ結合されることにより、側壁２１の上端１６Ｄの側を回動軸として、上記バケツ本体１０の開口１７に対して上蓋１１が回動可能となる。
【００４９】
図１が示すように、上蓋１１は、スライドファスナー（以下「ファスナー」と略称される。）５６を介して、側壁部１５の上端部１６（図２参照）、即ち、開口１７（図２参照）の周縁部に連結されている。ファスナー５６の基端及び終端は、上記シート片の裏側に収められており、該シート片と共に側壁２１の上端１６Ｄに縫い付けられている。ファスナー５６は、図１が示すように、２つのスライダー５７を有する。それぞれのスライダー５７が、上記シート片の両端を起点として互いに近づく方向（シート片から離反する方向）へスライドされることにより、上蓋１１とバケツ本体１０とがファスナー５６により連結される。また、スライダー５７それぞれが互いに離反する方向（シート片に近づく方向）へスライドされることで、ファスナー５６による連結が解除されて、バケツ本体１０の開口１７が開放可能となる。各スライダー５７には、引き手５８が取り付けられている。そのため、スライダー５７の操作性が高められ、釣人は、スライダー５７を容易に操作することができる。なお、図１には示されていないが、引き手５８に、環状のゴム紐を取り付けることで、スライダー５７の操作性をより一層高めることができる。
【００５０】
上蓋１１の外側の面５１には、該上蓋１１の各短辺の中点を通る仮想直線５０（図１参照）上に２つのボタンが配置されている。具体的には、図１が示すように、側壁２１側の端部付近に雌ボタン５３が設けられ、側壁２０側の端部付近に雄ボタン５２が設けられている。これら各ボタン５２，５３は、上蓋１１の内側の面から上蓋１１を貫通して各ボタン５２，５３を外側の面５１に圧着する留め具５４（図１３参照）によって上蓋１１に固定されている。
【００５１】
雄ボタン５２と雌ボタン５３は互いに係合解除可能に構成されたドットボタンである。これらのボタン５２，５３は既知の構造を有する。具体的には、雄ボタン５２はスタッド部を備え、雌ボタン５３はソケット部を備えており、スタッド部がソケット部に嵌め込まれることによって、両者は所定の嵌合力で係合する。そして、この所定の嵌合力に抗して雄ボタン５２と雌ボタン５３との嵌合を解除する力が作用した場合は、両者の係合は解除される。
【００５２】
このように、雄ボタン５２及び雌ボタン５３が上蓋１１に設けられているため、上蓋１１の側壁２０側を半開状態にして、上蓋１１の側壁２０側の端部を側壁２１側へ反転させたうえで、上記雄ボタン５２を上記雌ボタン５３に係合することができる。これにより、バケツ本体１０の上面を半開状態に維持することができる。その結果、上蓋１１が地面に垂れ落ちることが防止される。なお、上記半開状態にすることは、バケツ本体１０の上面を全開状態とする場合に比べて、例えば、晴天時の実釣において撒き餌の乾燥を抑制したい場合や、悪天候時の実釣において雨水の浸入を抑えたい場合に好適である。
【００５３】
図６は、釣用バケツ１を用いて撒き餌を投入する動作を示す模式図である。上述の如く構成された釣用バケツ１の作用効果は以下の通りである。例えば、磯におけるウキ釣りでは、釣人は、釣用バケツ１に撒き餌を収容し、これを釣場に持ち込む。釣場では、釣人は、バケツ本体１０の側壁２０の側を所望のポイントに向けるようにして載置する。釣人は、バケツ本体１０内の撒き餌を撒餌用杓６０を用いて所望のポイントへ投入する。従来の釣用バケツでは、前述したように、カップ６１に撒き餌を掬い入れ、カップ６１を一旦持ち上げて釣用バケツから撒餌用杓６０を外に出し、その後、撒餌用杓を振って撒き餌を投げ入れるという３段階の動作を行う必要がある。ところが、本発明の第１の実施形態に係る釣用バケツ１によれば、図１から図３が示すように、バケツ本体１０の上端部１６が側壁２１側から側壁２０側へ向かって傾斜角φの下り勾配に傾斜された形状に形成されているため、図６が示す如く、釣人は、撒餌用杓６０の柄部を操作することによってカップ６１に撒き餌を掬い入れた後、その掬い入れ動作に連続してカップ６１を側壁２０の上端１６Ｃの上方を通過させて所望のポイント方向へ該カップ６１を導くことができる。これにより、カップ６１が側壁２０に衝突してカップ６１内の撒き餌を飛散させてしまうことはない。また、多量の撒き餌を所望のポイントに撒く必要に迫られた場合であっても、カップ６１と側壁２０との衝突を避けるべく撒餌用杓６０を高く持ち上げるという煩わしい動作を要しないため、撒餌用杓６０の高速操作が可能となり、確実にしかも迅速に多量の撒き餌を所望のポイントに投入することができる。
【００５４】
《第２の実施形態》
図７は、本発明の第２の実施形態に係る釣用バケツ１００の斜視図である。この釣用バケツ１００も、上述した第１実施形態に係る釣用バケツ１と同じ用途に用いられるものである。すなわち、主として、魚釣りの際に用いられる撒き餌と称される釣り餌を収容するための容器として使用される。以下、本発明の第２の実施形態に係る釣用バケツ１００の構成について詳述される。なお、本実施形態に係る釣用バケツ１００を構成する要素のうち、上述の第１の実施形態に係る釣用バケツ１と同じ要素については、釣用バケツ１の要素に付した符号と同番号の符号を付すことで、その詳細な説明が省略される。
【００５５】
本実施形態の釣用バケツ１００は、図７が示すように、バケツ本体１１０と、バケツ本体１１０の上面に設けられた上蓋１１１（本発明の蓋部材に相当）と、取付ステー１２と、把手２５，２６とを備えている。
【００５６】
図８は、開口１１７が開放された状態における釣用バケツ１１０の斜視図であり、図９は、開口１１７及び切欠口１１３（本発明の杓出入用切欠部に相当）が開放された状態における釣用バケツ１１０の斜視図である。また、図１０は、側壁１２１側から見た釣用バケツ１００の斜視図である。なお、図９では、説明の便宜上、上蓋１１１は省略されている。
【００５７】
バケツ本体１１０は、略直方体形状に形成されており、その上面には開口１１７が形成されている。この開口１１７は、後述される切欠口１１３（図９参照）と共に、上蓋１１１によって塞がれる。バケツ本体１１０は、防水構造が採用されており、当該バケツ本体１１０に、撒き餌などの釣り餌が収容される。バケツ本体１１０のサイズは、撒き餌として多用される冷凍オキアミや冷凍ボイルオキアミのブロックが収容可能なサイズに設定されており、例えば、長手方向の長さが３０ｃｍから５０ｃｍ程度のものである。なお、言うまでもなく、本釣用バケツ１００は、上記サイズに限定されることはなく、多様なサイズを採用することが可能である。
【００５８】
図８及び図９が示すように、バケツ本体１１０は、略矩形の平板状の底面部１４（本発明の底部に相当）と、この底面部１４の周縁に立設された側壁部１１５（本発明の壁部に相当）とを備えている。底面部１４及び側壁部１１５は、シート状の合成樹脂から構成されている。合成樹脂としては、例えば、エチレン酢酸ビニル共重合体（ＥＶＡ）が好適に採用される。底面部１４及び側壁部１１５の肉厚寸法は、０．７５ｍｍ〜２．０ｍｍ程度に設定され得る。側壁部１１５は、幅が均等なシート状の合成樹脂が概ね筒状に形成された筒状シートからなる。この側壁部１１５の下端が底面部１４の周縁に溶着されることによって、概ね直方体形状のバケツ本体１１０が形成される。このようにバケツ本体１１０が形成されることにより、バケツ本体１１０の上面に底面部１４と略同じ形状で同じサイズの開口１１７が形成される。
【００５９】
図７から図１０が示すように、側壁部１１５は、４つの側壁１１８〜１２１を有する。側壁１１８，１１９は、底面部１４の一対の長辺縁２２（本発明の一対の側縁に相当）に垂直方向に立設されており、これらは互いに対向している。また、側壁１２０（本発明の後壁に相当）及び側壁１２１（本発明の前壁に相当）は、底面部１４の一対の短辺縁２３に垂直方向に立設されており、これらも互いに対向している。一対の短辺縁２３のうち、一方の短辺縁２３Ａ（本発明の前縁に相当）、すなわち、図１０の紙面手前側の短辺縁２３Ａに、側壁１２１が立設されている。この側壁１２１には、切欠口１１３（図９参照）が設けられている。この切欠口１１３は、側壁１２１の上縁から底面部１４に向かって当該側壁１２１が切り欠かれることによって形成される。より詳細には、側壁１２１の上縁の両端（側壁１１８，１１９の上端１１６Ａ，１１６Ｂの側壁１２１側の端部）から底面部１４に向かって先細りとなるように側壁１２１が切り欠かれることによって当該切欠口１１３が形成されている。このように切欠口１１３が形成されることにより、バケツ本体１１０の上面の開口１１７と当該切欠口１１３とが連続する。
【００６０】
本第２の実施形態では、切欠口１１３は、底辺が上辺よりも短い等脚台形状に側壁１２１が切り欠かれて構成されている。なお、本発明を実現するうえで、必ずしも上記切欠口１１３が上記等脚台形状に形成されることを要しない。したがって、切欠口１１３として、矩形や逆三角形、或いは半円、扇形などに切り欠かれた形状を呈するものを採用してもよい。要するに、後述するように、撒餌用杓６０が側壁１２１を通過することを許容する形状に形成されていれば、切欠口１１３としては如何なる形状のものであっても採用され得る。
【００６１】
図９が示すように、切欠口１１３は、側壁１２１の上縁の両端から底面部１３に向かって延びる一対の側縁１３０，１３１（本発明の一対の対向縁に相当）と、これら側縁１３０，１３１の底面部１４側の端部と連続する下縁１３２とを有する。下縁１３２は、側壁１２１の内側に折り返されており、所定位置１３３において当該側壁１２１の内側の面に溶着されている。上記所定位置１３３における溶着は、側壁１２１の幅方向に渡って全域になされていてもよく、或いは間欠的になされていてもよい。これにより、上記下縁１３２が補強される。切欠口１１３の側縁１３０，１３１から側壁部１１５の上端部１１６に至ってスライドファスナー（以下「ファスナー」と略称する。）１２４が取り付けられている。このファスナー１２４を介して、側縁１３０，１３１及び上端部１１６が上蓋１１１に連結される。なお、本第２の実施形態では、側壁１２１に上記切欠口１１３が形成されていることから、側壁部１１５の上端部１１６は、互いに対向する側壁１１８，１１９の上端１１６Ａ，１１６Ｂと、上記側壁１２１に対向する側壁１２０の上端１１６Ｃとにより構成される。
【００６２】
図９が示すように、側壁１２１に上記切欠口１１３が設けられていることから、仮に、切欠口１１３がファスナー１２４で閉じられていたとしても、バケツ本体１１０に撒き餌を収容したときに、ファスナー１２４から水分が滲み出るという問題が懸念される。したがって、本第２の実施形態では、ファスナー１２４として、例えばダイビングの際に着用されるウェットスーツやドライスーツに使用されている所謂防水ファスナーを採用している。
【００６３】
図７から図１０が示すように、上蓋１１１は、バケツ本体１１０の上面に形成された開口１１７（図９参照）及び側壁１２１に形成された切欠口１１３（図９参照）を覆うようにしてバケツ本体１１０に取り付けられる。そのため、上蓋１１１は、上記開口１１７及び上記切欠口１１３に相応した形状に形成されており、具体的には、上記開口１１７を覆う略矩形状に形成された矩形部１３５（図１０参照）と、上記切欠口１１３を覆う略台形状に形成された台形部１３６（図１０参照）とを有する。上蓋１１１は、上記バケツ本体１１０と同様に、シート状の合成樹脂から構成されており、適度な可撓性と弾性を有する。合成樹脂としては、例えば、エチレン酢酸ビニル共重合体（ＥＶＡ）が好適に採用される。
【００６４】
上蓋１１１は、図１０が示すように、切欠口１１３の下縁１３２に沿ってヒンジ結合されている。具体的には、シート状の合成樹脂からなる細幅のシート片１３７の短手方向の一方端部（図１０では上端部）が上蓋１１１の台形部１３６の端部に溶着され、該シート片１３７の短手方向の他方端部（図１０では下端部）及び長手方向の両端部（図１０では左右端部）が切欠口１１３の下縁１３２側の側壁１２１に溶着されることで、上蓋１１１とバケツ本体１１０とが結合されている。このようにして上蓋１１１とバケツ本体１１０とがヒンジ結合されることにより、切欠口１１３の下縁１３２近傍を回動軸として、バケツ本体１１９の開口１１７及び切欠口１１３に対して上蓋１１１が回動可能となる。これにより、上蓋１１１は、開口１１７及び切欠口１１３を開放する状態（開放姿勢）と開口１１７及び切欠口１１３を閉塞する状態（閉塞姿勢）とに姿勢変化され得る。
【００６５】
図１１は、図１０における切断線XI−XIの断面図である。同図は、バケツ本体１１０の上部の構造及び上蓋１１１との取付構造を示している。
【００６６】
図１１が示すように、上記側壁部１１５の上端部１１６は、上記筒状シートの上端がバケツ本体１１０の外側に折り返され、さらに所定位置１２８において当該筒状シートの外側の面に溶着されることによって形成されている。ここで、上記筒状シートの上端は、バケツ本体１１０の周囲全体にわたって連続して溶着されていてもよいし、間欠的に溶着されていてもよい。同図が示すように、本実施形態では、上記側壁部１１５の上端部１１６は、Ｕ字フレーム１２９（本発明の補強フレームに相当）に巻き掛けられるようにして折り返されている。上記Ｕ字フレーム１２９は、上端部１１６、すなわち、側壁１１８，１１９，１２０それぞれの上端１１６Ａ，１１６Ｂ，１１６Ｃに沿って配設されている。このようなＵ字フレーム１２９が設けられることにより、バケツ本体１１０の開口１１７の周縁部の剛性が向上し、その結果、バケツ本体１１０が撒き餌を収容し得る容器として一層使い易いものとなる。
【００６７】
図１２は、側壁部１１５の上端部１１６に巻き掛けられたＵ字フレーム１２９の斜視図である。上記Ｕ字フレーム１２９は、同図が示すように、Ｕ字状に形成されている。このＵ字フレーム１２９は、例えばステンレススチール等の線材が屈曲加工されることにより形成され得る。Ｕ字フレーム１２９の両端部１４６には、後述される支持バー１４０が安定的に当接し得る座１４７が形成されている。本第２の実施形態では、Ｕ字フレーム１２９は、Ｕ字状に湾曲された湾曲部１２９Ｃが側壁１２０の上端１１６Ｃに沿うように配設され、ストレート部１２９Ａ，１２９Ｂが側壁１１８，１１９の上端１１６Ａ，１１６Ｂに沿うように配設され、そして、上記座１４７が、上記上端１１６Ａ，１１６Ｂの側壁１２１側の端部に位置するように配設される。
【００６８】
上記座１４７は、Ｕ字フレーム１２９の両端部１４６の先端１４８が側壁１１８，１１９に沿って環状に湾曲されることにより形成される。このように形成されたそれぞれの座１４７には、その中心部に内径Ｄ１の孔１４９が形成される。本第２の実施形態では、Ｕ字フレーム１２９として、断面が円形の線材が用いられる。したがって、上記Ｕ字フレーム１２９の加工、詳細には、上記座１４７の加工が容易となる。また、Ｕ字フレーム１２９が巻き掛けられた際に上端部１１６の外面に現れるシルエット（輪郭）が球面となる。言い換えれば、上端部１１６の外面に角が立たない。そのため、上端部１１６におけるバケツ本体１１０の破損が軽減され得る。
【００６９】
上述したように、釣用バケツ１００のバケツ本体１１０には切欠口１１３が形成されている。したがって、バケツ本体１１０の切欠口１１３における剛性は該切欠口１１３が設けられていない側壁１２０に比べて低い。そのため、例えばバケツ本体１１０に撒き餌を収容した状態で把手２５，２６を掴んで釣用バケツ１００を持ち上げると、バケツ本体１１０は、撒き餌の重量によって、側壁１１８と側壁１１９とが近づく方向（図１６（ｂ）の矢印１４５で示す方向）に作用する外力を受ける。この外力に対抗し得る剛性が上記切欠口１１３の周辺部材に無い場合は、Ｕ字フレーム１２９の両端部１４６が互いに接近する方向に撓まされる。これに伴い、上端１１６Ａ，１１６Ｂの側壁１２１側の端部同士が接近して、バケツ本体１１０が変形される。この場合、釣用バケツ１００の持ち運びが不便となる。また、バケツ本体１１０の変形により、バケツ本体１１０の容積が小さくなり、該バケツ本体１１０に収容された撒き餌が開口１１７あふれ出でるおそれもある。
【００７０】
本第２の実施形態では、図１３が示すように、上蓋１１１の裏面１３８に、バケツ本体１１０の撓みを防止するための支持バー１４０が設けられている。ここに、図１３は、上蓋１１１を展開した展開図であって、上蓋１１１の裏面１３８から見た外観が示されている。上記支持バー１４０は、上蓋１１１の矩形部１３５と台形部１３６との境界線に沿うように配設されている。換言すれば、上蓋１１１の閉塞状態において、Ｕ字フレーム１２９の両端部１４６に設けられた各座１４７（図１２参照）を結ぶ線分と支持バー１４０の軸線とが一致するように配設されている。
【００７１】
上記支持バー１４０は、シート片１４１によって上蓋１１１の裏面１３８に取り付けられている。具体的には、シート状の合成樹脂からなる細幅のシート片１４１を上記境界線に沿うようにして、シート片１４１の短手方向の両端を上蓋１１１の裏面１３８に溶着し、シート片１４１と裏面１３８との間に形成された間隙に上記支持バー１４０を挿通することによって、支持バー１４０が上記裏面１３８に取り付けられる。この支持バー１４０は、例えばステンレススチールや合成樹脂などのストレート状の部材から構成され得る。本第２の実施形態では、上記Ｕ字フレーム１２９と同様に断面が円形の丸棒部材からなる支持バー１４０を用いる。この支持バー１４０は、シート片１４１の長手方向の長さよりも長く、Ｕ字フレーム１２９の両端部１４６に設けられた各座１４７（図１２参照）の離間距離よりも若干短く設定されている。したがって、釣用バケツ１００が自然な状態、すなわちバケツ本体１１０に側壁１１８と側壁１１９とが互いに近づく方向の外力が作用していない状態では、支持バー１４０が上記座１４７に引っ掛かることはない。
【００７２】
図１４は、支持バー１４０の端部１４２が詳細に示された拡大詳細図である。同図が示すように、支持バー１４０の端部１４２は、先端に向けて先細りとなるようにテーパー状に加工されたテーパー部１４３と、先端が球面に加工された球面部１４４とを有する。テーパー部１４３の最小径、すなわちテーパー部１４３の先端側の外径Ｄ２は、孔１４９の内径Ｄ１（図１２参照）よりも小さく設定されている。また、テーパー部１４３の最大径、すなわちテーパー部１４３の基端側の外径Ｄ３は、孔１４９の内径Ｄ１よりも大きく設定されている。要するに、内径Ｄ１、外径Ｄ２および外径Ｄ３それぞれには、Ｄ２＜Ｄ１＜Ｄ３の関係が成立している。したがって、支持バー１４０の端部１４２が座１４７に形成された孔１４９に挿入されたとしても、先端１４４は孔１４９に進入するが、テーパー部１４３が所定の位置で孔１４９に当接して、それ以上の進入が規制される。
【００７３】
図１５は、釣用バケツ１００を用いて撒き餌を投入する動作を示す模式図である。上述の如く構成された釣用バケツ１００によれば、側壁１２１に切欠口１１３が設けられているため、図１５（ａ）が示す如く、釣人は、撒餌用杓６０を操作することによってカップ６１に撒き餌を掬い入れた後、切欠口１１３を通じて素早くしかも簡単にカップ６１をバケツ本体１１０から外へ出すことができる。したがって、釣人は、従来の如く、撒餌用杓を高く持ち上げてカップ６１をバケツ本体１１０の上面の開口１１７から出すという煩雑な動作を行う必要はない。また、たとえ釣人が激しく撒餌用杓６０を操作した場合であっても、カップ６１が切欠口１１３を通じて外へ出されるため、当該カップ６１がバケツ本体１１０に衝突することもない。これにより、 撒餌用杓６０の高速操作が可能となり、確実にしかも迅速に多量の撒き餌を所望のポイントに投入することができる。
【００７４】
また、切欠口１１３が形成された側壁１２１を所望するポイントに対向するようにして当該釣用バケツ１００を釣場に載置すれば、釣人は、特にアンダースローにて撒き餌を投げる場合に、撒餌用杓６０を操作することによってカップ６１に撒き餌を掬い入れた後に、その掬い入れ動作に連続して、上記切欠口１１３へ向けて撒餌用杓６０を振り抜くことができる（図１５（ａ）参照）。これにより、上記切欠口１１３を通過させるようにして上記カップ６１をバケツ本体１１０から簡単に外へ出すことができ、しかも、カップ６１を外へ出す動作に連続して撒き餌を所望するポイントへ投入することができる。要するに、撒き餌を掬い入れる動作、カップ６１をバケツ本体１１０から出す動作、及び撒き餌を投げ入れる動作を連続する一連の杓操作により行うことができる。これにより、カップ６１とバケツ本体１１０との衝突を確実に避けることができ、しかも、迅速に多量の撒き餌を投げ入れることができる。
【００７５】
また、本釣用バケツ１００は、バケツ本体１１０が略直方体形状に形成され、その一側面である側壁１２１に切欠口１１３が設けられている。すなわち、バケツ本体１１０に外力が付加された際に大きなねじり応力や曲げ応力が発生する角部は切り欠かれていない。したがって、上記切欠口１１３が設けられたとしても、バケツ本体１１０の剛性を高く維持することができる。
【００７６】
また、本釣用バケツ１００には、バケツ本体１１０の上面の開口１１７を覆う上蓋１１１が設けられている（図１０参照）。上述したように、この上蓋１１１は、開口１１７及び切欠口１１３を開放する状態（開放姿勢）と開口１１７及び切欠口１１３を閉塞する状態（閉塞姿勢）とに姿勢変化される。そのため、釣人は、任意にバケツ本体１１０の開口１１７および切欠口１１３を開閉することができる。したがって、例えば、バケツ本体１１０の上縁まで撒き餌が収容されている場合は、上記切欠口１１３の全体を上蓋１１１で覆うことができる。また、撒き餌が徐々に減少して撒き餌の上面が低下した場合は、図１５（ａ）及び（ｂ）が示すように、切欠口１１３のうち、バケツ本体１１０の上縁から撒き餌の上面までの部分だけを開放することができる。要するに、撒き餌の量に応じて上記切欠口１１３を開放率（開口率）を任意に設定することができる。もちろん、上蓋１１１によって、雨や直射日光を遮断して、撒き餌の劣化を防止することができる。
【００７７】
図１６は、上蓋１１１が閉塞された釣用バケツ１００におけるＵ字フレーム１２９及び支持バー１４０の位置関係を示す模式図であって、同図の（ａ）は、バケツ本体１１０が変形される前の状態が示され、同図の（ｂ）は、バケツ本体１１０が矢印１４５の方向に変形された状態が示されている。なお、同図では、Ｕ字フレーム１２９及び支持バー１４０が実線で示され、その他の部分が仮想線（二点鎖線）で示されている。図１６が示すように、本釣用バケツ１００には、側壁部１１５の上端部１１６に沿ってＵ字フレーム１２９が設けられている。そのため、釣用バケツ１００の剛性が向上して、釣用バケツ１００の使い勝手が一層良くなる。また、Ｕ字フレーム１２９の両端部１４３の剛性が劣り、バケツ本体１１０が変形しやすい傾向にあるが、上蓋１１１が閉塞姿勢となったときに、Ｕ字フレーム１２９が矢印１４５で示す方向に変形しようとしても、支持バー１４０がこれを規制する。言い換えれば、Ｕ字フレーム１２９及び支持バー１４０によって、側壁部１１５の上端部１１６に、略矩形の補強フレームが形成される。これにより、Ｕ字フレーム１２９の変形が抑えられる。したがって、釣用バケツ１００が持ち上げられてもバケツ本体１１０は大きく変形しない。
【００７８】
また、本第２の実施形態では、Ｕ字フレーム１２９は、支持バー１４０の端部１４２が当接される座１４７を備えている。この座１４７は、バケツ本体１１０が変形した場合に、支持バー１４０の両端部１４２を受け止める。したがって、釣人が釣用バケツ１００を持ち上げた際にバケツ本体１１０が変形しても、支持バー１４０がバケツ本体１１０の側壁を押し付けて、バケツ本体１１０を損傷させることはない。また、釣人が釣用バケツ１００を持ち歩いたときにバケツ本体１１０が大きく揺れ動いたとしても、支持バー１４０がＵ字フレームからずれてバケツ本体１１０が大きく変形してしまうことはない。つまり、釣用バケツ１００が持ち運びに一層便利なものとなる。
【００７９】
また、Ｕ字フレーム１２９は、断面が円形である線材から構成されているから、曲げ加工が容易である。したがって、Ｕ字フレーム１２９を容易且つ安価に製造することができる。また、上記線材の先端が、側壁１１８，１１９に沿って環状に湾曲されることにより、上記座１４７が形成されている。そのため、座１４７は、中央に孔１４９を有するドーナツ状に形成される。しかも、線材の断面が円形であるから、上記孔１４９を区画する面は、周囲から内側へ滑らかに入り込む曲面となる。したがって、上記上蓋１１１が閉じられることによって上記支持バー１４０と上記座１４７とが相対的に接近した場合は、支持バー１４０の端部１４２が上記曲面に沿って座１４７の内側に案内される。その結果、支持バー１４０は、一層安定してＵ字フレーム１２９の両端部１４６間に配置される。
【図面の簡単な説明】
【００８０】
【図１】図１は、本発明の第１の実施形態に係る釣用バケツ１の斜視図であって、開口１７が上蓋１１で閉塞された状態を示す。
【図２】図２は、本発明の第１の実施形態に係る釣用バケツ１の斜視図であって、開口１７が開放された状態を示す。
【図３】図３は、図１におけるIII−矢視図である。
【図４】図４は、取付ステー１２の拡大斜視図である。
【図５】図５は、把手２５の斜視図である。
【図６】図６は、本発明の第１の実施形態に係る釣用バケツ１を用いて撒き餌を投入する動作を示す模式図である。
【図７】図７は、本発明の第２の実施形態に係る釣用バケツ１００の斜視図であって、開口１１７が上蓋１１１で閉塞された状態を示す。
【図８】図８は、第２の実施形態に係る釣用バケツ１００の斜視図であって、開口１１７が開放された状態を示す。
【図９】図９は、本発明の第２の実施形態に係る釣用バケツ１００の斜視図であって、開口１１７及び切欠口１１３が開放された状態を示す。
【図１０】図１０は、側壁１２１側から見た第２の実施形態に係る釣用バケツ１００の斜視図である。
【図１１】図１１は、図１０における切断線XI−XIの断面図である。
【図１２】図１２は、側壁部１１５の上端部１１６に巻き掛けられたＵ字フレーム１２９の斜視図である。
【図１３】図１３は、上蓋１１１を展開した展開図であって、上蓋１１１の裏面１３８から見た外観を示す。
【図１４】図１４は、支持バー１４０の端部１４２が詳細に示された拡大詳細図である。
【図１５】図１５は、本発明の第２の実施形態に係る釣用バケツ１００を用いて撒き餌を投入する動作を示す模式図である。
【図１６】図１６は、上蓋１１１が閉塞された釣用バケツ１００におけるＵ字フレーム１２９及び支持バー１４０の位置関係を示す模式図であって、（ａ）はバケツ本体１１０が変形される前の状態、（ｂ）はバケツ本体１１０が矢印１４５の方向に変形された状態を示す。
【符号の説明】
【００８１】
１・・・釣用バケツ
１０・・・バケツ本体
１１・・・上蓋
１４・・・底面部
１５・・・側壁部
１６・・・上端部
１７・・・開口
１８，１９，２０，２１・・・側壁
２２・・・長辺縁
２３・・・短辺縁
５６・・・スライドファスナー
１００・・・釣用バケツ
１１０・・・バケツ本体
１１１・・・上蓋
１１３・・・切欠口
１１５・・・側壁部
１１６・・・上端部
１１７・・・開口
１１８，１１９，１２０，１２１・・・側壁
１２４・・・スライドファスナー  
１２９・・・Ｕ字フレーム
１４０・・・支持バー
１４７・・・座
１４９・・・孔
【図１】
2008011796.tif 000003
【図２】
2008011796.tif 000004
【図３】
2008011796.tif 000005
【図４】
2008011796.tif 000006
【図５】
2008011796.tif 000007
【図６】
2008011796.tif 000008
【図７】
2008011796.tif 000009
【図８】
2008011796.tif 000010
【図９】
2008011796.tif 000011
【図１０】
2008011796.tif 000012
【図１１】
2008011796.tif 000013
【図１２】
2008011796.tif 000014
【図１３】
2008011796.tif 000015
【図１４】
2008011796.tif 000016
【図１５】
2008011796.tif 000017
【図１６】
2008011796.tif 000018